(57)【要約】【課題】リングキャップの高さを低くして液体噴出器の小型化を図るとともに、外観を向上させた液体噴出器を提供する。【解決手段】本発明の液体噴出器１は、容器体２の口部３に装着される装着筒４と、シリンダ５と、リングキャップ６と、ステム７と、押し下げヘッド９とを備え、該押し下げヘッド９の押圧、復帰動作により容器体２の内容液を吸い上げて該押し下げヘッド９に設けられたノズル８より注出可能とするとともに、押し下げヘッド９を押し下げた状態でリングキャップ６に係止可能に構成してなる液体噴出器１であって、装着筒４は、開口６を形成する天壁１１の内周縁の上端に凹部１１ａを有し、リングキャップ１０は、シリンダ５の上端部に嵌合する嵌合筒２０の外周面から径方向外側に向けて突出する凸部２０ａを有し、該凸部２０ａが、凹部１１ａに入り込んで装着筒４を抜け止め保持することを特徴とする。【選択図】図１
2015085274.tif 000002
【特許請求の範囲】
【請求項１】
中央に開口を有する天壁、及び該天壁の外周縁から垂下する側壁を備え、容器体の口部に装着される装着筒と、
該装着筒により前記容器体の内部に下端を垂下させた状態で保持されるシリンダと、
該シリンダの上端部に固定されるリングキャップと、
前記装着筒の天壁に形成された開口より上方付勢状態で上下移動可能に突出するステムと、
該ステムの上端に固定された押し下げヘッドとを備え、
該押し下げヘッドの押圧、復帰動作により容器体の内容液を吸い上げて該押し下げヘッドに設けられたノズルより注出可能とするとともに、前記押し下げヘッドを押し下げた状態で前記リングキャップに係止可能に構成してなる液体噴出器であって、
前記装着筒は、前記開口を形成する前記天壁の内周縁の上端に凹部を有し、
前記リングキャップは、前記シリンダの上端部に嵌合する嵌合筒の外周面から径方向外側に向けて突出する凸部を有し、
該凸部が、前記凹部に入り込んで前記装着筒を抜け止め保持することを特徴とする液体噴出器。
【請求項２】
前記凸部の上面の高さが、前記天壁の上面の高さ以下である、請求項１に記載の液体噴出器。
【発明の詳細な説明】
【技術分野】
【０００１】
本発明は、ノズルを備えた押し下げヘッドを押し下げた状態でねじ付けしておくことで流通時等におけるポンプの誤作動を防止し、使用時には、押し下げヘッドのねじ付けを解除することで、ポンプを正常に動作させることができる液体噴出器に関するものである。
【背景技術】
【０００２】
従来、この種の液体噴出器として、例えば特許文献１に記載されるようなものが知られている。このような従来の液体噴出器は、容器体の口部外周に取り付けた装着筒により容器体内に下端を垂下させた状態でシリンダを固定してなる固定吸引部と、該固定吸引部上端中央の開口より上方付勢状態で上下移動可能に突出させたステム上端部にノズル付き押し下げヘッドを設けた作動部材とを備え、該作動部材の上下移動により容器体内の液を吸い上げてノズルより噴出する如く構成するとともに、押し下げヘッドを押し下げた状態で固定吸引部に係止可能に構成してなる。
【０００３】
また、このような液体噴出器においては、押し下げヘッドに設けられた雌ねじ部と、シリンダの上端に固定されたリングキャップの雄ねじ部とを螺合させることで、押し下げヘッドを押し下げた状態でリングキャップに係止する構成が知られている。図２は、このような液体噴出器におけるリングキャップの一例を表すものであり、リングキャップ１１０の外周面に設けられた雄ねじ部１８ａの下方には径方向外側に突出する凸部１２０ａが設けられ、凸部１２０ａが装着筒４の上方に配置されて装着筒４を抜け止め保持している。また、上記凸部１２０ａと装着筒４の天壁１１の上面との間には上下方向の隙間Ｇが形成されている。
【先行技術文献】
【特許文献】
【０００４】
【特許文献１】特許第３６５７３７８号公報
【発明の概要】
【発明が解決しようとする課題】
【０００５】
上記のような装着筒を抜け止め保持するための凸部が、装着筒の天壁の上方に配置されている場合、当該凸部の高さ分だけリングキャップの高さが高くなってしまう。また、上記凸部と天壁の上面との間に形成される上下方向の隙間は、液体噴出器を容器体に装着した際に容器体の側面側から視認可能であるため、外観を損ねてしまうという問題があった。
【０００６】
本発明は、上記問題を解決することを課題とし、リングキャップの高さを低くして液体噴出器の小型化を図るとともに、外観を向上させた液体噴出器を提供することを目的とする。
【課題を解決するための手段】
【０００７】
本発明は、上記課題を解決するためになされたものであり、本発明の液体噴出器は、中央に開口を有する天壁、及び該天壁の外周縁から垂下する側壁を備え、容器体の口部に装着される装着筒と、
該装着筒により前記容器体の内部に下端を垂下させた状態で保持されるシリンダと、
該シリンダの上端部に固定されるリングキャップと、
前記装着筒の天壁に形成された開口より上方付勢状態で上下移動可能に突出するステムと、
該ステムの上端に固定された押し下げヘッドとを備え、
該押し下げヘッドの押圧、復帰動作により容器体の内容液を吸い上げて該押し下げヘッドに設けられたノズルより注出可能とするとともに、前記押し下げヘッドを押し下げた状態で前記リングキャップに係止可能に構成してなる液体噴出器であって、
前記装着筒は、前記開口を形成する前記天壁の内周縁の上端に凹部を有し、
前記リングキャップは、前記シリンダの上端部に嵌合する嵌合筒の外周面から径方向外側に向けて突出する凸部を有し、
該凸部が、前記凹部に入り込んで前記装着筒を抜け止め保持することを特徴とする。
【０００８】
本発明の液体噴出器によれば、天壁の内周縁の上端に形成された凹部に、嵌合筒の外周面に設けられた凸部が入り込んで装着筒を抜け止め保持することにより、リングキャップの高さを低く抑えることができるのみならず、装着筒とリングキャップの境界が容器体の側面側から視認し難くなり、外観を向上させることができる。
【０００９】
また、本発明の液体噴出器にあっては、前記凸部の上面の高さが、前記天壁の上面の高さ以下であることが好ましい。
【発明の効果】
【００１０】
本発明によれば、リングキャップの高さを低くして液体噴出器の小型化を図るとともに、外観を向上させた液体噴出器を提供することが可能となる。
【図面の簡単な説明】
【００１１】
【図１】本発明の一実施形態に係る液体噴出器を容器体に装着し、押し下げヘッドを最上昇状態とした液体噴出器付き容器の要部を示す半断面図である。
【図２】比較例としての液体噴出器を一部断面で表した部分拡大図である。
【発明を実施するための形態】
【００１２】
以下、本発明の実施の形態を図面に基づいて詳細に例示説明する。図１に示すように、本実施形態に係る液体噴出器１は、容器体２の口部３外周に取り付けた装着筒４により容器体２内に下端を垂下させた状態でシリンダ５を保持するとともに、装着筒４の上端中央の開口６より上方付勢状態で上下移動可能に突出させたステム７の上端部にノズル８付き押し下げヘッド９を設けている。液体噴出器１は、押し下げヘッド９の押圧、復帰動作により容器体２内の内容液を吸い上げてノズル８より注出することができるとともに、押し下げヘッド９を押し下げた状態でシリンダ５の上端部に固定されたリングキャップ１０に係止可能に構成してなる。
【００１３】
装着筒４は、中央に開口６が形成された天壁１１と、天壁１１の外周縁から垂下する側壁１２とで構成され、天壁１１の内周縁の上端に、全周にわたって形成された段差状の凹部１１ａを有する。また、側壁１２の内周面には、口部３の外周面に設けられた雄ねじ部に螺合する雌ねじ部１３が設けられている。
【００１４】
シリンダ５は、上下端が開口する筒状であり、外周面の上部には径方向外側に突出するフランジ１４が設けられ、また、フランジ１４より下方の周壁に外気導入孔５ａが形成されている。フランジ１４の下面には、口部３の上端に当接するパッキンが設けられ、装着筒４の天壁１１と口部３の上端とにより圧接されている。また、シリンダ５の下端部は縮径して嵌合筒部１６が設けられ、該嵌合筒部１６内に上端を嵌着させたパイプ１５が容器体２内下端部に垂下する。また、シリンダ５内下端部には吸い込み弁１７を設けている。
【００１５】
リングキャップ１０は、ステム７を貫通させる案内筒１８を回転防止用の縦リブ１９を介してシリンダ５上端内周に回転不能に嵌合させるとともに、案内筒１８の上下方向中央から外周側に延びるフランジの外周縁に嵌合筒２０を垂設し、該嵌合筒２０内周をシリンダ５の上端外周に凹凸係合手段を介して抜け出し不能に嵌合させて構成している。本実施形態において凹凸係合手段は、シリンダ５の上端部外周面に上下２段に設けられた突条２１と、それに対応する嵌合筒２０内周面に形成された上下２段の溝部で構成される。また、リングキャップ１０は、嵌合筒２０の外周面の下端部近傍から径方向外側に向けて突出する環状の凸部２０ａを有する。凸部２０ａは、上記の凹部１１ａに入り込んで装着筒４を抜け止め保持する。すなわち装着筒４は、シリンダ５のフランジ１４と、リングキャップ１０の凸部２０ａとによって上下方向の移動を制限され、シリンダ５に対して回動可能に装着されている。本実施形態において、凸部２０ａの上面は、装着筒４の天壁１１の上面と同一平面上にあり、凸部２０ａの上下方向の厚さは、天壁１１の板厚の半分以下となっている。
【００１６】
押し下げヘッド９は、頂壁２２の中央から垂下しステム７の上端に嵌着する縦筒２３と、縦筒２３の外周側で頂壁２２より垂下する円筒状の垂下壁２４と、縦筒２３に連通するノズル８を有する。押し下げヘッド９は、垂下壁２４の内周面に、頂壁２２と垂下壁２４との境界から所定の隙間をあけて設けられた雌ねじ部２５を有する。
【００１７】
ステム７は、上下端が開口した上筒部２６と、上筒部２６の下端から縮径しつつ下方に延び、且つ周方向に間隔を空けて配置した複数の貫通孔２７を有する縮径部２８と、縮径部２８の下端に垂下した下筒部２９とを有する。また、上筒部２６の下端には、外周側にテーパ状に延びるスカート部を介して垂設した案内筒壁部３０を有する。
【００１８】
ステム７の下部には、ピストン部材３１を設けている。具体的には、ピストン部材３１は、ステム７の案内筒壁部３０の内周に液密に、且つ摺動可能に当接する筒状のシール筒３２と、シール筒３２の下端から外周側に延設したフランジの外周縁に連設した上方及び下方に向けて拡径するスカート状のピストン３３と、シール筒３２の下端に垂設した環状突起３４とからなる。ピストン３３は、シリンダ５に摺動可能に嵌合している。
【００１９】
ステム７の下筒部２９には、ピストンガイド３５を嵌着させている。ピストンガイド３５は、ステム７の下筒部２９を嵌合係止する環状の嵌合凹部を上面に有する頂壁部３７と、頂壁部３７外周縁に垂設した外筒部３８とを有する。外筒部３８の上端外周には、外筒部３８外周とシリンダ５内周との間に隙間を形成するための複数の突起３９を周方向に間隔を空けて設けている。また、頂壁部３７の上面には、ピストン部材３１の環状突起３４の下端に当接可能な環状の当接凹部を設けている。
【００２０】
ピストンガイド３５と吸い込み弁１７との間には、コイルスプリング４０を配置している。コイルスプリング４０の上端は、外筒部３８の内周側で、頂壁部３７の下面に当接し、ステム７を上方に付勢している。
【００２１】
ステム７とリングキャップ１０との間には、押し下げヘッド９を押し下げ、垂下壁２４に形成した雌ねじ部２５をリングキャップ１０の案内筒１８の上部外周に形成した雄ねじ部１８ａに螺合させた状態にあるときに、外気導入孔５ａを閉塞する閉塞筒部材４１を設けている。閉塞筒部材４１は、シリンダ５上部に摺動可能に嵌合させて外気導入孔５ａを閉塞可能な摺動閉塞部４２と、該摺動閉塞部４２を下部（本例では下端）外周より周突設する基筒部４３とからなる。閉塞筒部材４１は、押し下げヘッド９が最下降の係止状態に移行する際に、押し下げヘッド９の縦筒２３に設けた下向き段部４４により押し下げられて外気導入孔５ａを閉塞する。
【００２２】
ここで、図２は、比較のために示す液体噴出器１０１におけるリングキャップ１１０の一例であり、本実施形態と同様の構成については同一の符号で示したものである。図２のリングキャップ１１０は、凸部１２０ａが装着筒４の天壁１１の上方に隙間Ｇをあけて配置されているため、リングキャップ１１０の高さを低く抑えることができず、隙間Ｇが液体噴出器１０１を取付けた容器体２の側面側から視認されるため、外観を損ねていた。
【００２３】
これに対して、本実施形態の液体噴出器１にあっては、装着筒４の天壁１１に形成された凹部１１ａに、リングキャップ１０に設けられた凸部２０ａが入り込むことにより、凹部１１ａに入り込む凸部２０ａの高さの分だけリングキャップ１０の高さを低く抑えることができる。また、装着筒４とリングキャップ１０の境界に形成される隙間が容器体の側面側から視認し難くなるため外観が向上する。
【００２４】
なお、本実施形態の液体噴出器１は、凸部２０ａの上面の高さが、天壁１１の上面の高さ以下であることが望ましく、より好適には、凸部２０ａの上面と天壁１１の上面とが同一平面状に位置することが好ましい。このようにすることで、装着筒４とリングキャップ１０の境界をより目立たせなくすることができ、外観をさらに向上させることができる。
【００２５】
以上、図示例に基づき説明したが、本発明は上述の実施形態に限定されるものでなく、特許請求の範囲の記載範囲内で適宜変更することができるものであり、例えば、内容液を吸い上げるシリンダ内部のポンプ機構は他の既知の構造を採用してもよい。また、上述の実施形態では凸部２０ａは環状として説明したが、凸部２０ａは周方向に分断された間欠状のものでもよい。
【符号の説明】
【００２６】
１      液体噴出器
２      容器体
３      口部
４      装着筒
５      シリンダ
５ａ    外気導入孔
６      開口
７      ステム
８      ノズル
９      押し下げヘッド
１０    リングキャップ
１１    天壁
１１ａ  凹部
１２    側壁
１３    雌ねじ部
１４    フランジ
１５    パイプ
１６    嵌合筒部
１７    吸い込み弁
１８    案内筒
１８ａ  雄ねじ部
１９    縦リブ
２０    嵌合筒
２０ａ  凸部
２１    突条
２２    頂壁
２３    縦筒
２４    垂下壁
２５    雌ねじ部
２６    上筒部
２７    貫通孔
２８    縮径部
２９    下筒部
３０    案内筒壁部
３１    ピストン部材
３２    シール筒
３３    ピストン
３４    環状突起
３５    ピストンガイド
３７    頂壁部
３８    外筒部
３９    突起
４０    コイルスプリング
４１    閉塞筒部材
４２    摺動閉塞部
４３    基筒部
４４    下向き段部
【図１】
2015085274.tif 000003
【図２】
2015085274.tif 000004